(57)【特許請求の範囲】
【請求項１】
容器本体の口部に定量栓体を挿着しその上から小蓋付キャップを装着した定量排出容器において、前記定量栓体が、格子をもち容器垂直方向に対して傾斜する流入口を側面に設けた周壁と底壁とからなるカップ状の本体部と、半円樋状の縦板の上端の突面側に水平な天板をもち下端の突面側に傾斜板をもつ仕切部とから構成され、前記本体部の流入口と前記仕切部の縦板の突面とを相対応させて前記本体部の内側に前記仕切部を挿着し、前記本体部内部を予備室、補充室、計量室及び楕円状の排出孔とに区画形成し、且つ、前記定量栓体の排出孔を前記小蓋付キャップの小蓋下方の排出口を形成する接続リングと接続させて、前記半円樋状の縦板と前記カップ状の本体部の周壁とにより形成される内容物の排出孔が、計量室と排出口とを直線的に結ぶことを特徴とする粉体用定量排出容器。
【発明の詳細な説明】
【０００１】
【発明の属する技術分野】
本発明は、ココア、粉ミルクや浴用剤などの固まり易い内容物に使用する粉体用定量排出容器に関するものである。
【０００２】
【従来の技術】
従来、容器本体の口頸部に取り付けて定量排出する基本的な方法としては、実公平４−１０９３号公報に示された定量栓体が知られている。この定量栓体（１００）は、図３（ｂ）に示すように、周壁（１１１）と底壁（１１２）とからなりその周壁の側面に流入口（１１３）を有するカップ状の本体部（１１０）と、天板（１２１）、縦板（１２２）及び傾斜板（１２３）とからなる仕切部（１２０）とから構成され、本体部と仕切部とを嵌合させることにより本体部内を、予備室（１０１）、補充室（１０２）、計量室（１０３）及び排出孔（１０４）とに区画形成したものであり、容器を倒立、正立させる操作により、内容物を計量して定量排出するものであった。
【０００３】
そして、通常は、定量栓体（１００）を取り付けた図３（ｂ）に示す容器本体（３００）の口頸部（３１０）に、図３（ａ）に示すように、容器本体との螺合部（２２１）を周壁（２２０）内面にもち、定量栓体の排出孔との封止リング（２３２）を下面にもつ開封用つまみ（２３１）付小蓋（２３０）をヒンジ（２０１）を介して天板（２１０）にもつ小蓋付キャップ（２００）が装着されていた。
【０００４】
【発明が解決しようとする課題】
しかしながら、上述の従来の定量栓体を取り付けた定量排出容器は、固まり易い粉体状の内容物を使用した場合に、固まった内容物が流入口を塞いで、内容物の定量栓体内への流入を妨げたり、定量栓体内で例えば排出孔に詰まって、排出量が著しくばらつくことがあった。
【０００５】
本発明は、上述の従来の定量排出容器の問題を解決したものであり、固まり易い粉体状の内容物に使用しても、排出量が正確でばらつきのない粉体用定量排出容器を提供するものである。
【０００６】
【課題を解決するための手段】
本発明は、図１（ａ）及び（ｂ）に示すように、容器本体（３００）の口部に定量栓体（１００）を挿着しその上から小蓋付キャップ（２００）を装着した定量排出容器において、前記定量栓体が、格子（１１４）をもち容器垂直方向に対して傾斜する流入口（１１３）を側面に設けた周壁（１１１）と底壁（１１２）とからなるカップ状の本体部（１１０）と、半円樋状の縦板（１２２）の上端の突面側に水平な天板（１２１）をもち下端の突面側に傾斜板（１２３）をもつ仕切部（１２０）とから構成され、前記本体部の流入口と前記仕切部の縦板の突面とを相対応させて前記本体部の内側に前記仕切部を挿着し、前記本体部内部を予備室（１０１）、補充室（１０２）、計量室（１０３）及び楕円状の排出孔（１０４）とに区画形成し、且つ、前記定量栓体の排出孔が前記小蓋付キャップの小蓋下方の排出口（２４０）を形成する接続リング（２１１）と接続させて、前記半円樋状の縦板と前記カップ状の本体部の周壁とにより形成される内容物の排出孔（１０４）が、計量室と排出口とを直線的に結ぶことを特徴とする粉体用定量排出容器。
【０００７】
【作用】
本発明の粉体用定量排出容器の定量栓体の流入口には、容器垂直方向に対して傾斜する格子が設けられているため、容器を倒立したときに、容器内を下降する内容物中の固まりが格子に当たって砕け、流入口から定量栓体内に内容物が流入し易くなる。
【０００８】
また、本発明の粉体用定量排出容器の定量栓体の楕円形状の排出孔は、従来の定量栓体の半円状の排出孔とことなり、広くてまた滞留しにくい形状であり、また、計量室と排出口とが直線的に結ぶため、計量室内で内容物中に固まりを生じても、詰まることなく排出し易く、計量精度が良好である。
【０００９】
【発明の実施の形態】
本発明の粉体用定量排出容器（１０）は、図１（ａ）及び（ｂ）に示すように、容器本体（３００）の口部に定量栓体（１００）を挿着し、その上から小蓋付キャップ（２００）を螺合や咬合などで係合させて装着したものである。容器本体としては、プラスチックボトルや口栓付紙容器などが使用できる。
【００１０】
定量栓体（１００）は、図１（ｂ）に示すように、本体部（１１０）と仕切部（１２０）とから構成され、本体部（１１０）は、図２（ｃ）に示すように、周壁（１１１）と底壁とからなる開口部周縁にフランジ（１１５）をもつカップ状で、その周壁の側面に、使用目的に適応した形状の格子（１１４）をもつ容器垂直方向に対して傾斜する流入口（１１３）を設けたものである。また、仕切部（１２０）は、図２（ｂ）に示すように、半円樋状の縦板（１２２）の上端の突面側に水平な天板（１２１）を設け、下端の突面側に使用目的に適応した角度をもつ傾斜板（１２３）を設けたものである。これら本体部と仕切部は、ポリエチレンやポリプロピレンなどを用いて射出成形してそれぞれ作製するものである。そして、図１（ｂ）に示すように、本体部（１１０）の流入口（１１３）と仕切部（１２０）の縦板（１２２）の突面とを相対応させて本体部の内側に仕切部を挿着し、本体部内部を予備室（１０１）、補充室（１０２）、計量室（１０３）及び楕円状の排出孔（１０４）とに区画形成して、定量栓体（１００）を作製するものである。
【００１１】
小蓋付キャップ（２００）は、図２（ａ）に示すように、キャップの天板（２１０）にヒンジ（２０１）を介して開口用つまみ（２３１）をもつ小蓋（２３０）を連設し、図１（ｂ）に示すように、小蓋（２３０）の下方のキャップの天板に楕円状の排出口（２４０）を設け、この排出口の周縁下面に接続リング（２１１）を設けたものであり、周壁（２２０）の内面には、容器本体との螺合又は咬合などの係合部（２２１）を設けたものである。なお、容器本体（３００）に小蓋付キャップ（２００）を装着したときに、接続リング（２１１）の下面を、定量栓体（１００）の排出孔（１０４）の上端面に当接させて接続し、半円樋状の縦板（１２２）とカップ状の本体部（１１０）の周壁（１１１）とにより形成される内容物の排出孔（１０４）が、計量室（１０３）と排出口（２４０）とを直線的に結ぶものである。そして、小蓋付キャップは、ポリプロピレンなどを射出成形して作製するものである。
【００１２】
次に、本発明の粉体用定量排出容器の排出操作とその操作による定量排出原理について次に説明する。粉体状の内容物を充填した本発明の粉体用定量排出容器を、まず、定量栓体の流入口を上方に向けて容器を倒立傾斜すると、容器内の内容物が下方に落下して、流入口から内容物が定量栓体内へ流入して予備室に溜まる。この流入する内容物の量は、流入口の位置及び大きさによって規制されることにより第１次の計量が行われる。次に、容器を正立状態に戻すと、予備室の内容物が、一部は流入口より容器に戻るが、殆どの内容物は下方に位置する計量室と補充室に落下して溜まる。次に、キャップの小蓋を開口し、再度、容器を倒立傾斜すると、容器内の内容物が流入口から定量栓体内の予備室へ流入し、また、補充室の内容物の一部が予備室に戻り、合わせて予備室内で計量化させる。同時に、計量室内の内容物と不足分の内容物が補充室から、仕切部の下方の傾斜板の計量作用により、排出孔へ２次計量されて所定量の内容物が流入し、この定量化された内容物がキャップの排出口から排出される。
【００１３】
【実施例】
まず、小蓋付キャップを、ポリプロピレンを用いて射出成形して作製した。この小蓋付キャップ（２００）の構造は、図１（ｂ）及び図２（ａ）に示すように、天板（２１０）のほぼ真ん中の両端にわたるヒンジ（２０１）を介して開口つまみ（２３１）をもつ小蓋（２３０）を設け、小蓋の下方の天板に楕円状の排出口（２４０）を設け、この排出口の周縁下面に定量栓体の排出孔との接続リング（２１１）を設け、また、天板の接続リングと対応する側の下面に、仕切部天板の周縁と当接する固定リング（２１２）を設け、そして、周壁（２２０）の内面には容器本体との螺合部（２２１）を設けたものである。
【００１４】
次に、計量栓体の本体部と仕切部とをそれぞれポリプロピレンを用いて射出成形して作製した。本体部（１１０）の構造は、図１（ｂ）及び図２（ｃ）に示すように、開口部周縁にフランジ（１１５）をもつカップ状で、その周壁の側面に格子（１１４）をもつ流入口（１１３）を設けたものである。また、仕切部（１２０）は、図１（ｂ）及び図２（ｂ）に示すように、半円樋状の縦板（１２２）の上端の突面側に、本体部のフランジと重なる段差を周縁にもつ天板（１２１）を水平に設け、下端の突面側には、傾斜板（１２３）を設けたものである。
【００１５】
次に、口頸部にキャップとの螺合部をもつ容器本体を、ポリエチレンを用いてダイレクトブロー成形して作製し、この容器本体に固まり易い粉体状内容物を充填したのち、図１（ｂ）に示すように、口部に計量栓体（１００）の本体部（１１０）を挿着し、この本体部の流入口（１１３）に仕切部（１２０）の縦板（１２２）の突面とを相対応させるようにして本体部に仕切部を挿着し、この上から小蓋付キャップ（２００）を容器本体の口頸部（３１０）に螺合させて装着して、本実施例の粉体用定量排出容器（１０）を作製した。
【００１６】
そして、通常の流通及び保管過程を経てのち、内容物の排出テストを行った。内容物に固まりが発生していたにもかかわらず、排出量は正確でばらつきがなかった。
【００１７】
【発明の効果】
容器本体の口部に定量栓体を挿着しその上から小蓋付キャップを装着した本発明の定量排出容器は、定量栓体の内容物の流入口に格子が設けられているため、容器を倒立したときに、内容物中の固まりが砕けて定量栓体内に流入し易く、また、排出孔が楕円形状であり、計量室内の内容物中に固まりを生じても排出し易く、正確でばらつきのない定量排出が行える。
【００１８】
また、キャップに小蓋が付いているので、キャップを取らずにワンタッチで容器を小蓋で開口でき、使用し易い定量排出容器である。
【図面の簡単な説明】
【図１】（ａ）は、本発明の一実施例の粉体用定量排出容器の平面図であり、（ｂ）は、その断面図である。
【図２】（ａ）は、本発明の一実施例の粉体用定量排出容器の小蓋を開口した状態の小蓋付キャップの斜視図であり、（ｂ）は、定量栓体の仕切部の斜視図であり、（ｃ）は、定量栓体の本体部の斜視図である。
【図３】（ａ）は、従来の粉体用定量排出容器に使用された一例の小蓋付キャップの断面図であり、（ｂ）は、容器の口部に従来の一例の定量栓体を装着したときの断面図である。
【符号の説明】
１０……粉体用定量排出容器
１００……定量栓体
１０１……予備室
１０２……補充室
１０３……計量室
１０４……排出孔
１１０……本体部
１１１，２２０……周壁
１１２……底壁
１１３……流入口
１１４……格子
１１５……フランジ
１２０……仕切部
１２１，２１０……天板
１２２……縦板
１２３……傾斜板
２００……小蓋付キャップ
２０１……ヒンジ
２１１……接続リング
２１２……固定リブ
２２１……係合部又は螺合部
２３０……小蓋
２３１……開口用つまみ
２３２……封止リング
２４０……排出口
３００……容器本体
３１０……口頸部
３１１……螺合部
【図１】
0003885255.tif 000002
【図２】
0003885255.tif 000003
【図３】
0003885255.tif 000004